(57)【特許請求の範囲】
【請求項１】
原紙をギロチン裁断機によって原紙表面に垂直に裁断して複数枚の記録媒体を製造する方法において、複数列、複数行に配列された複数枚の記録媒体と各記録媒体間に存在する切りしろ部分とにより形成される集合体の大きさの長方形の外周に沿って裁断刃の直角刃面が外側から当たるような状態で原紙を裁断する第１工程、該集合体の大きさの長方形を各列又は各列に切りしろ部分を加えた幅に沿って裁断する第２工程、第２工程における裁断の際に裁断刃の傾斜刃面により各列又は各列に切りしろ部分を加えた幅の長方形の一辺に形成された傾斜端面から切りしろ部分に相当する幅だけ内側に沿って裁断刃の直角刃面が外側から当たるような状態で切りしろ部分を裁断除去する第３工程、第３工程で裁断された各列幅の長方形を、各行又は各行に切りしろ部分を加えた幅に沿って裁断する第４工程、第４工程から得られた各裁断用紙の一辺に存在する傾斜端面から切りしろ部分に相当する幅だけ内側に沿って裁断刃の直角刃面が外側から当たるような状態で切りしろ部分を裁断除去する第５工程、からなることを特徴とする全ての端面が直角端面である記録媒体の製造方法。
【請求項２】
原紙をギロチン裁断機によって原紙表面に垂直に裁断して複数枚の記録媒体を製造する方法において、複数列、複数行に配列された複数枚の記録媒体と各記録媒体間に存在する切りしろ部分とにより形成される集合体の大きさの長方形の外周に沿って裁断刃の直角刃面が外側から当たるような状態で原紙を裁断する第１工程、該集合体の大きさの長方形を各行又は各行に切りしろ部分を加えた幅に沿って裁断する第２工程、第２工程における裁断の際に裁断刃の傾斜刃面により各行又は各行に切りしろ部分を加えた幅の長方形の一辺に形成された傾斜端面から切りしろ部分に相当する幅だけ内側に沿って裁断刃の直角刃面が外側から当たるような状態で切りしろ部分を裁断除去する第３工程、第３工程で裁断された各行幅の長方形を、各列又は各列に切りしろ部分を加えた幅に沿って裁断する第４工程、第４工程から得られた各裁断用紙の一辺に存在する傾斜端面から切りしろ部分に相当する幅だけ内側に沿って裁断刃の直角刃面が外側から当たるような状態で切りしろ部分を裁断除去する第５工程、からなることを特徴とする全ての端面が直角端面である記録媒体の製造方法。
【請求項３】
前記原紙が、少なくとも基材表面にインク受容層を有するものである、請求項１又は２に記載の全ての端面が直角端面である記録媒体の製造方法。
【請求項４】
前記記録媒体が、インクジェット記録用である、請求項１〜３のいずれかに記載の全ての端面が直角端面である記録媒体の製造方法。
【発明の詳細な説明】
【０００１】
【発明の属する技術分野】
本発明は、裁断された用紙端面に特徴を有する記録媒体に関する。特に、裁断された用紙端面に紙紛の付着が少なく、給紙、画像記録が良好に行われ、ノズルの目詰まり発生のもととならない記録媒体に関する。
【０００２】
【従来の技術】
図３（ａ）は、ギロチン裁断機によって用紙が裁断された時の裁断状態を示す図であり、図３（ｂ）は、大きな用紙（以下、「原紙」という）を８枚の記録媒体の大きさに裁断したときの裁断状態を示した図である。従来、Ａ４，Ｂ４，Ａ３等の通常使用されている大きさの用紙は、裁断される前の原紙を図３（ａ）に示したような片刃の裁断刃を用いる裁断機、いわゆる、ギロチン裁断機によって切断されていた。ところが、裁断された用紙を使用して多数枚記録を続行していると、紙送りにズレが生じたり、ひどいときには全く機能を果たさなくなることも生じていた。また、記録した文字・画像等に白点が入ることもあった。
【０００３】
【発明が解決しようとする課題】
そこで、本発明者等は、その原因について調べていたところ、次のようなことが発生し、そのために上記のような問題が生じてくることをつきとめた。図３（ａ）に示したように、ギロチン裁断機の裁断刃（片刃）３１は、裁断方向と平行な面、即ち、被裁断用紙面に直角な面（以下、「直角刃面」という）３２と裁断方向に対して傾いた面（以下、「傾斜刃面」という）３３とで構成されている。この片刃３１で裁断された用紙Ｐ，Ｐの端面は、直角刃面３２と接した端面（直角端面）イと傾斜刃面３３と接した端面（傾斜端面）ロとになり、実際に原紙を裁断した場合には、図３（ｂ）に示したように、裁断された各用紙Ａ〜Ｈの４辺に直角端面イと傾斜端面ロが生じていた。直角端面イは、裁断された端面と裁断刃面がほぼ平行であり、端面が刃面によって影響を受けることは少なく、端面は用紙面とほぼ直角な面となる。一方、傾斜端面ロは、切断された端面を斜めの刃面が押すため、刃が入る側の角は潰されて「ダレ角」になり、刃が抜ける側の角は刃面で擦られ引きずられた用紙繊維が「バリ状」に突出したり、傾斜端面ロに紙紛３４となって付着していた。
【０００４】
そして、そのような用紙を用いて記録を行うために用紙を給紙装置、印字装置へと搬送させていくと、用紙は位置決めや搬送などのための部材と接触したり擦られたりするために、傾斜端面ロに付着していた紙紛３４が落下したり、通常の取扱では落下しなかったバリ状に突出した繊維であっても紙紛３４となって落下することが多いことがわかった。
【０００５】
ところで、給紙装置では、給紙や用紙の分離を行うために、用紙と各部材との摩擦力を利用しているが、それらの部材に落下した紙紛が付着すると、紙紛が潤滑剤の作用をして、各部材本来の機能を損なうということが生じ、特に、給紙力に及ぼす影響が大きく、全く機能を果たさなくなることも生じていたことがわかった。また、印字装置や複写装置では、紙紛が用紙面に再付着することによってインクやトナーが紙紛の上に乗り、紙紛が脱落することによって白点が生じ、印字品質や複写品質が損なわれるという問題も生じていたことがわかった。さらに、印字装置においては、脱落浮遊した紙紛が印字ヘッドのノズルに付着して、インクの吐出を妨げるという問題が発生していることもわかった。
【０００６】
本発明は、上記問題点に鑑みてなされたものであって、その目的とするところは、用紙から紙紛が発生するのを防止することによって、給紙が良好に行われ、白点の入らない画像品質の良い記録が可能となるとともに、インク吐出の妨げとなる紙紛の付着を無くすことが可能な記録媒体を提供すること及びそのような記録媒体の製造方法を提供することである。
【０００７】
【課題を解決するための手段】
本発明は、用紙の全ての端面が直角端面を形成している用紙であることを特徴とし、ギロチン裁断機裁断刃の直角刃面にて用紙の全ての端面を形成するように原紙を裁断することを特徴とする。
【０００８】
本発明に係る記録媒体の製造方法は、原紙をギロチン裁断機によって原紙表面に垂直に裁断して複数枚の記録媒体を製造する方法において、複数列、複数行に配列された複数枚の記録媒体と各記録媒体間に存在する切りしろ部分とにより形成される集合体の大きさの長方形の外周に沿って裁断刃の直角刃面が外側から当たるような状態で原紙を裁断する第１工程、該集合体の大きさの長方形を各列又は各列に切りしろ部分を加えた幅に沿って裁断する第２工程、第２工程における裁断の際に裁断刃の傾斜刃面により各列又は各列に切りしろ部分を加えた幅の長方形の一辺に形成された傾斜端面から切りしろ部分に相当する幅だけ内側に沿って裁断刃の直角刃面が外側から当たるような状態で切りしろ部分を裁断除去する第３工程、第３工程で裁断された各列幅の長方形を、各行又は各行に切りしろ部分を加えた幅に沿って裁断する第４工程、第４工程から得られた各裁断用紙の一辺に存在する傾斜端面から切りしろ部分に相当する幅だけ内側に沿って裁断刃の直角刃面が外側から当たるような状態で切りしろ部分を裁断除去する第５工程、からなることを特徴とする全ての端面が直角端面である記録媒体の製造方法。
【０００９】
また、本発明に係る記録媒体の製造方法は、原紙をギロチン裁断機によって原紙表面に垂直に裁断して複数枚の記録媒体を製造する方法において、複数列、複数行に配列された複数枚の記録媒体と各記録媒体間に存在する切りしろ部分とにより形成される集合体の大きさの長方形の外周に沿って裁断刃の直角刃面が外側から当たるような状態で原紙を裁断する第１工程、該集合体の大きさの長方形を各行又は各行に切りしろ部分を加えた幅に沿って裁断する第２工程、第２工程における裁断の際に裁断刃の傾斜刃面により各行又は各行に切りしろ部分を加えた幅の長方形の一辺に形成された傾斜端面から切りしろ部分に相当する幅だけ内側に沿って裁断刃の直角刃面が外側から当たるような状態で切りしろ部分を裁断除去する第３工程、第３工程で裁断された各行幅の長方形を、各列又は各列に切りしろ部分を加えた幅に沿って裁断する第４工程、第４工程から得られた各裁断用紙の一辺に存在する傾斜端面から切りしろ部分に相当する幅だけ内側に沿って裁断刃の直角刃面が外側から当たるような状態で切りしろ部分を裁断除去する第５工程、からなることを特徴とする全ての端面が直角端面である記録媒体の製造方法。
【００１０】
また、本発明に係る記録媒体の製造方法は、前記原紙が、少なくとも基材表面にインク受容層を有するものであることを特徴とし、そのことにより、文字・画像の記録が良好な記録媒体が得られる。
【００１１】
また、本発明に係る記録媒体の製造方法は、記録媒体がインクジェット記録用であることを特徴とし、紙紛によるインクの目詰まりの恐れがなく使用可能な記録媒体を得ることができる。
【００１２】
【発明の実施の形態】
以下において、図面に基づいて本発明を更に詳細に説明する。図１は、本発明の製造方法の一実施の形態における第１〜３工程を示す図であり、また、図２は、本発明の製造方法の一実施の形態における第４，５工程を示す図であり、図３は、従来の記録媒体の製造方法における用紙の裁断状態を示す図である。
【００１３】
図１（ａ）には、原紙１から８枚の記録媒体２を得るために、４列２行に並んだ記録媒体２と、各記録媒体２の間に必要とする「切りしろ部分」３とにより形成される幅、長さを有する長方形の各辺に沿って裁断刃の直角刃面が外側から当たるような状態で原紙１を裁断する第１工程によって得られた「切りしろ部分」３を有する記録媒体２の集合体４が示されている。第１工程によって得られた集合体４の長方形の外周の各端面は、全て直角端面（イ）となっている。
【００１４】
図１（ｂ）には、次に、１行目と２行目との間の裁断線（実線）５に沿って、１行目に対して裁断刃の直角刃面が当たるような状態で集合体４を裁断する第２工程によって得られた「切りしろ部分」３を間に有する記録媒体２の４枚綴り体７Ａ，４枚綴り体７Ａの一辺に沿って更に「切りしろ部分」３を有する４枚綴り体７Ｂが得られた状態が示されている。第２工程によって得られた記録媒体２の二つの４枚綴り体７Ａ，７Ｂは、一方の４枚綴り体７Ａの外周端面が全て直角端面（イ）となっているのに対して、他方の４枚綴り体７Ｂの外周端面は、第２工程の裁断によりできた辺のみが傾斜端面（ロ）となっている。
【００１５】
図１（ｃ）には、次に、傾斜端面（ロ）を有する４枚綴り体７Ｂの傾斜端面（ロ）に沿って「切りしろ部分」の幅だけ内側の裁断線（破線）６に沿って裁断刃の直角刃面が外側から当たるような状態で裁断する第３工程によって得られた二つの４枚綴り体７Ａが示されている。この第３工程の裁断によって、外周端面が全て直角端面（イ）となっている二つの４枚綴り体７Ａが得られる。
【００１６】
図２（ｄ）には、次に、二つの４枚綴り体７Ａを裁断線（実線）５に沿って左側に裁断刃の直角刃面が当たるような状態で裁断する第４工程によって得られた８枚の用紙が示されている。この第４工程の裁断によって得られた８枚の用紙のうち２枚（２Ａ）は外周端面が全て直角端面（イ）となっている記録媒体であるが、残りの６枚（２Ｂ）は第４工程での裁断により形成された辺が傾斜端面（ロ）となっている「切りしろ部分」３を有する記録媒体である。
【００１７】
図２（ｅ）には、次に、第４工程によって得られた一辺が傾斜端面（ロ）となっている「切りしろ部分」３を有する６枚の記録媒体２Ｂについて、その傾斜端面（ロ）に沿って「切りしろ」の幅だけ内側の裁断線（破線）６に沿って裁断刃の直角刃面が外側から当たるような状態で裁断する第５工程によって得られた６枚の記録媒体２Ａが示されている。この第５工程の裁断によって得られた６枚の記録媒体２Ａは、外周端面が全て直角端面（イ）となっている。
【００１８】
上記の第１〜５工程で得られた８枚の記録媒体は、外周端面が全て直角端面となっているために記録媒体の全ての端面に紙粉が付着することがなく、また、繊維が記録媒体の全ての端面からバリ状に突出していることもないので、記録媒体を給紙装置、印字装置へと搬送させていっても、記録媒体から紙紛が落下することもなく、搬送も良好に行われ、また、記録画像に白点が生じることもない。さらに、飛散した紙粉によりノズルが目詰まりを生ずるということもなくなる。
【００１９】
以上、原紙から４列２行に配置された形の８枚の記録媒体を製造する方法について説明したが、同様の裁断手法を採用して、多数列多数行に配置された形の記録媒体について裁断することができる。
【００２０】
本発明における「原紙」としては、連続シートを長さ１〜２ｍ程度に裁断したシート、又は、それらのシートの上にインク受容層、光沢層等を形成したシート等が挙げられる。
【００２１】
【発明の効果】
本発明は、以上詳記したとおり、記録媒体の全ての端面が直角端面を形成していることにより、全ての端面に紙粉が付着することがなく、また、繊維が全ての端面からバリ状に突出していることもないので、記録媒体を給紙装置、印字装置へと搬送させていっても、記録媒体から紙紛が落下することもなく、搬送も良好に行われ、また、記録画像に白点が生じることもない。さらに、飛散した紙粉によりノズルが目詰まりを生ずるということもなくなる等の優れた効果を奏する。
【図面の簡単な説明】
【図１】本発明の記録媒体製造方法の一実施の形態における第１〜３工程を示す図である。
【図２】本発明の記録媒体製造方法の一実施の形態における第４，５工程を示す図である。
【図３】従来の記録媒体製造方法における用紙の裁断状態を示す図であり、（ａ）は、ギロチン裁断機により用紙を裁断した状態を示す図であり、（ｂ）は、裁断された用紙端部の裁断面の種類を示す図である。
【符号の説明】
１ 原紙
２ 記録媒体
３ 切りしろ
４ 集合体
５ 裁断線（実線）
６ 裁断線（破線）
７Ａ ４枚綴り体
７Ｂ 一辺に切りしろを有する４枚綴り体
３１ 片刃
３２ 直角刃面
３３ 傾斜刃面
３４ 紙粉
【図１】
0004085581.tif 000002
【図２】
0004085581.tif 000003
【図３】
0004085581.tif 000004